(57)【要約】      （修正有）【課題】洗浄盤を増設することによって清潔効果を増加させ、モップ洗浄の目的を達成することを可能にする洗浄機能付き脱水桶を提供する。【解決手段】モップ洗浄用脱水桶は、桶体１０と、バスケット２０と、駆動機構と、を備える。駆動機構は、底座３１と、歯列３２と、ペダル３３と、弧状歯列３４と、大傘型歯車３５と、小傘型歯車３６と、小歯車３８と、を有する。小傘型歯車３６は、ロングシャフト３７の底部によって底座３１の第一固定孔３１３に固定され、かつ大傘型歯車３５と噛み合う。ロングシャフト３７は頂部が収容区１２を貫通し、バスケット２０の底部の連結座に嵌合される。小歯車３８は、ショートシャフト３９の底部によって底座３１の第二固定孔３１４に固定される。ショートシャフト３９は、頂部が収容区１２を貫通し、桶体１０内の洗浄盤４０の底部の第２連結座に嵌合される。【選択図】図２
0003157152.tif 000002
【実用新案登録請求の範囲】
【請求項１】
頂面に形成された開口部と、底部の側面が陥没して形成された収容区とを有する桶体と、
前記収容区の上方に位置するように前記桶体内に配置されるバスケットと、
前記バスケットを駆動するため、前記収容区内に装着される駆動機構と、
を備え、
前記駆動機構は、
両側に配置された二つ支持部と、第一固定孔と、第二固定孔と、複数の突出片から構成されたガイド溝と、を有し、前記二つの支持部は上端部に向かい合う第１軸孔を有する底座と、
前記ガイド溝内を前後移動できるように前記底座の上に配置され、かつ前側に位置する第一歯部と、後側に位置する第二歯部と、後側に接続された復元スプリングとを有し、前記第一歯部は上向きに配列され、前記第二歯部は９０度を呈し裏向きに配列され、前記復元スプリングは前側に復元する推力を供給する歯列と、
前端の両側に別々に配置された第１シャフトと、一側から底面へ伸びて形成された拡張面とを有し、前記第１シャフトは二つの横向きのボルトによって前記第１軸孔に固定され、拡張面は弧状溝を有するペダルと、
前記弧状溝の下方に位置するように前記拡張面の内部に配置され、かつ底面に形成された下方の弧状歯部と、頂面に形成された上方の弧状歯部とを有し、前記下方の弧状歯部は歯列上の上向きの前記第一歯部と噛み合う弧状歯列と、
前記支持部に平行に配置され、かつ第２軸孔を有し、前記第２軸孔は外側に前記上方の弧状歯部と噛み合う軸方向の歯車を有し、かつ第２シャフトによって支持部に固定される大傘型歯車と、
ロングシャフトの底部によって前記底座の前記第一固定孔に固定され、かつ前記大傘型歯車と噛み合い、そのうちの前記ロングシャフトは頂部が前記収容区を貫通し、前記バスケットの底部の第１連結座に嵌合される小傘型歯車と、
ショートシャフトの底部によって前記底座の前記第二固定孔に固定され、そのうちの前記ショートシャフトは頂部が前記収容区を貫通し、前記桶体内の洗浄盤の底部の第２連結座に嵌合されるため、前記桶体内において前記洗浄盤を回転させることが可能である小歯車と、
を有するため、使用者がペダルを踏み込むと、前記弧状歯列によって前記バスケットおよび前記洗浄盤を回転させ、洗浄および脱水などの二重効果を果たすことが可能であることを特徴とするモップ洗浄用脱水桶。
【請求項２】
前記桶体は、開口部の前後端部に並列に配置された二つの接続孔を有し、
前記二つの接続孔は、二つの対称的な凵形取手の内端の突出柱との接続に用いられ、
前記凵形取手は、中段の内側に開口部の辺縁に跨る拡張面を有するため、前記二つの凵形取手を下ろすと、前記二つの凵形取手が前記開口部の左右両側の辺縁に水平に据えられ、前記二つの凵形取手を９０度上げると、前記二つの凵形取手が並んで一つになることを特徴とする請求項１に記載のモップ洗浄用脱水桶。
【請求項３】
前記洗浄盤は、表面に複数の径方向のリブ部を有することを特徴とする請求項１に記載のモップ洗浄用脱水桶。
【考案の詳細な説明】
【技術分野】
【０００１】
本考案は、モップ洗浄用脱水桶に関し、詳しく言えばモップの毛糸に洗浄及び脱水を同時に行うことを可能にする脱水桶に関するものである。
【背景技術】
【０００２】
モップは、床掃除に用いる道具の一つである。従来の脱水桶は、モップに付着した余分な水分を取り去るのに用いる道具である。従来の脱水桶は、モップ上の毛糸を絞り、毛糸の水分を取り去る。例えば図１に示すように、特許文献１による脱水桶５０は、桶体５１、装置部５２および回転機構５３を備え、回転機構５３は装着ユニット、回転軸、伝動ユニットおよびレバーを有し、それらの間の交互作動によってバスケット５４を回転させ、モップ６０の脱水を行う。しかしながら、特許文献１では、脱水桶５０の装着方式のため、モップ６０に上下縦方向の洗浄空間５５しか提供できないという欠点を抱えている。
【０００３】
実際に汚れたモップ６０を縦方向（Ｙ−Ｙ）のみで洗浄する場合、洗浄効果を達成することができないだけでなく、モップ６０の毛糸６１に付着した汚れとモップ６０の毛糸６１とを分離させることができないため、脱水桶５０によってモップの毛糸を洗浄する効果は限られている。
【０００４】
同時に脱水桶５０の底部に沈殿した汚泥が毛糸に繰り返して接触し、再び付着するため、モップはかえって汚れてしまう。
従来の脱水桶の取手は桶体の一側に配置されることが一般的であるため、脱水桶を保管するには、桶体の体積以上の空間が必要である。従って、保管、運送およびパッケージに不便であるという欠点がある。
【先行技術文献】
【特許文献】
【０００５】
【特許文献１】台湾実用新案第Ｍ３３８６３４号
【考案の概要】
【考案が解決しようとする課題】
【０００６】
本考案の主な目的は、洗浄盤を増設することによって清潔効果を増加させ、モップ洗浄の目的を達成することを可能にする洗浄機能付き脱水桶を提供することである。
本考案のもう一つの目的は、特殊設計された取手によって脱水桶の占用空間を縮減することを可能にする洗浄機能付き脱水桶を提供することである。
【課題を解決するための手段】
【０００７】
本発明のモップ洗浄用脱水桶は、桶体と、バスケットと、駆動機構と、を備える。桶体は、頂面に形成された開口部と、底部の側面が陥没して形成された収容区とを有する。バスケットは、収容区の上方に位置するように桶体内に配置される。駆動機構は、バスケットを駆動するため、収容区内に装着される。駆動機構は、底座と、歯列と、ペダルと、弧状歯列と、大傘型歯車と、小傘型歯車と、小歯車と、を有する。底座は、両側に配置された二つ支持部と、第一固定孔と、第二固定孔と、複数の突出片から構成されたガイド溝と、を有し、二つの支持部は上端部に向かい合う第１軸孔を有する。歯列は、ガイド溝内を前後移動できるように底座の上に配置され、かつ前側に位置する第一歯部と、後側に位置する第二歯部と、後側に接続された復元スプリングとを有し、第一歯部は上向きに配列され、第二歯部は９０度を呈し裏向きに配列され、復元スプリングは前側に復元する推力を供給する。ペダルは、前端の両側に別々に配置された第１シャフトと、一側から底面へ伸びて形成された拡張面とを有し、第１シャフトは二つの横向きのボルトによって第１軸孔に固定され、拡張面は弧状溝を有する。弧状歯列は、弧状溝の下方に位置するように拡張面の内部に配置され、かつ底面に形成された下方の弧状歯部と、頂面に形成された上方の弧状歯部とを有し、下方の弧状歯部は歯列上の上向きの第一歯部と噛み合う。大傘型歯車は、支持部に平行に配置され、かつ第２軸孔を有し、第２軸孔は外側に上方の弧状歯部と噛み合う軸方向の歯車を有し、かつ第２シャフトによって支持部に固定される。小傘型歯車は、ロングシャフトの底部によって底座の第一固定孔に固定され、かつ大傘型歯車と噛み合い、そのうちのロングシャフトは頂部が収容区を貫通し、バスケットの底部の第１連結座に嵌合される。小歯車は、ショートシャフトの底部によって底座の第二固定孔に固定され、そのうちのショートシャフトは頂部が収容区を貫通し、桶体内の洗浄盤の底部の第２連結座に嵌合されるため、桶体内において洗浄盤を回転させることが可能である。使用者がペダルを踏み込むと、弧状歯列によってバスケットおよび洗浄盤を回転させ、洗浄および脱水などの二重効果を果たすことが可能である。
【図面の簡単な説明】
【０００８】
【図１】従来例による脱水桶を示す外観図である。
【図２】本考案の一実施形態によるモップ洗浄用脱水桶を示す分解斜視図である。
【図３】本考案の一実施形態によるモップ洗浄用脱水桶が組み立てられた状態を示す斜視図である。
【図４】本考案の一実施形態によるモップ洗浄用脱水桶を示す平面図である。
【図５】本考案の一実施形態によるモップ洗浄用脱水桶を示す断面図である。
【図６】図５中の６−６線に沿った断面図である。
【図７】図５中の７−７線に沿った断面図である。
【図８】本考案の一実施形態によるモップ洗浄用脱水桶によってモップを洗浄する状態を示す模式図である。
【図９】本考案の一実施形態によるモップ洗浄用脱水桶によってモップの水分を取り去る状態を示す模式図である。
【図１０】本考案の一実施形態によるモップ洗浄用脱水桶において取手が並んでいる状態を示す模式図である。
【考案を実施するための形態】
【０００９】
以下、本考案によるモップ洗浄用脱水桶を図面に基づいて説明する。
（一実施形態）
図２から図７に示すように、本考案の一実施形態によるモップ洗浄用脱水桶は、桶体１０、バスケット２０および駆動機構３０を備える。
桶体１０は、頂面に形成された開口部１１と、底部の側面が陥没して形成された収容区１２とを有する。
バスケット２０は、収容区１２の上方に位置するように桶体１０内に配置される。
【００１０】
駆動機構３０は、バスケット２０を駆動するため、収容区１２内に装着される。かつ底座３１、歯列３２、ペダル３３、弧状歯列３４、大傘型歯車３５、小傘型歯車３６および小歯車３８を有することが駆動機構３０の特徴である。
底座３１は、両側に支持部３１１を別々に有し、かつ二つの支持部３１１の上端部に向かい合う第１軸孔３１２を有する。底座３１は、第一固定孔３１３と、第二固定孔３１４と、複数の突出片３１５から構成されたガイド溝３１６とを有する。
【００１１】
歯列３２は、ガイド溝３１６内を前後移動できるように底座３１の上に配置され、かつ前側に位置する第一歯部３２１および後側に位置する第二歯部３２２を有する。第一歯部３２１は上向きに配列され、第二歯部３２２は９０度を呈し、裏向きに配列される。また歯列３２は後側に接続された復元スプリング３２３を有し、復元スプリング３２３は歯列３２に前側に復元する推力を供給する。
【００１２】
ペダル３３は、前端の両側に第１シャフト３３１を別々に有し、第１シャフト３３１は二つの横向きのボルト３３２によって第１軸孔３１２に固定される。ペダル３３は一側から底面へ伸びて形成された拡張面３３３を有し、拡張面３３３は弧状溝３３４を有する。
弧状歯列３４は、弧状溝３３４の下方に位置するように拡張面３３３の内部に配置され、かつ底面に形成された下方の弧状歯部３４１と、頂面に形成された上方の弧状歯部３４２とを有する。下方の弧状歯部３４１は、歯列３２上の上向きの第一歯部３１３と噛み合う。
【００１３】
大傘型歯車３５は、支持部３１１に平行に配置され、第２軸孔３５２の外側に上方の弧状歯部３４２と噛み合う軸方向の歯車３５１を有する。第２軸孔３５２は、第２シャフト３５３によって支持部３１１に固定される。
小傘型歯車３６は、ロングシャフト３７の底部によって底座３１の第一固定孔３１３に固定され、かつ大傘型歯車３５と噛み合う。ロングシャフト３７は、頂部が収容区１２を貫通し、バスケット２０底部の第１連結座２１に嵌合される。
【００１４】
小歯車３８は、ショートシャフト３９の底部によって底座３１の第二固定孔３１４に固定される。ショートシャフト３９は頂部が収容区１２を貫通し、桶体１０内の洗浄盤４０底部の第２連結座４１に嵌合されるため、桶体１０内において洗浄盤４０を回転させることが可能である。洗浄盤４０は、表面に複数の径方向のリブ部４２を有する。
【００１５】
使用者がペダル３３を踏み込むと、弧状歯列３４によってバスケット２０および洗浄盤４０を回転させ、洗浄および脱水などの二重効果を果たすことが可能である。
【００１６】
以下、本実施形態の操作および使用状態について説明を引き続く。使用者がペダル３３を踏み込むと、ペダル３３は内側の軸孔３３１を軸心に斜めに回転し、弧状歯列３４を円弧に沿って移動させる。このとき下方の弧状歯部３４１は歯列３２の第一歯部３２１を奥へ直線移動させると同時に、第二歯部３２２は小歯車３８およびショートシャフト３９を作動させることによって桶体１０内の底面に位置する洗浄盤４０を回転させる。図８に示すように、まず洗浄盤４０の上方にモップ６０を置き、攪拌および揉み洗いによって毛糸６１の汚れを洗浄する。続いて、図９に示すようにモップ６０をバスケット２０に移し、水分を取り去る。このとき上方の弧状歯部３４２は大傘型歯車３５内側の軸方向の歯車３５１を駆動する、即ち直接大傘型歯車３５を回転させ、間接的に小傘型歯車３６を回転させる。ロングシャフト３７は、上方のバスケット２０を回転させ、遠心力を生じさせるため、モップ６０の毛糸６１の水分を放出することが可能である。
【００１７】
本実施形態は、さらに駆動機構３０によって洗浄盤４０およびバスケット２０を同時に回転させるため、利便性および実用性を向上させることが可能である。
桶体１０の開口部の前後端部に並列に配置された二つの接続孔１３が本実施形態の特徴の一つである。二つの接続孔１３は、二つの対称的な凵形取手１４の内端の突出柱１４１との接続に用いられる。凵形取手１４は中段の内側に開口部の辺縁に跨る拡張面１４２を有するため、二つの凵形取手１４を下ろすと、二つの凵形取手１４が開口部の左右両側の辺縁に水平に据えられる。二つの凵形取手１４を９０度上げると、二つの凵形取手１４が並んで一つになる。
【００１８】
図１０に示すように、二つの凵形取手１４を使用する場合、二つの凵形取手１４を持ち上げて並べれば使用できる。二つの凵形取手１４を使用する必要がない場合、二つの凵形取手１４を桶体１０の辺縁に下ろせばよいため、場所を取らない、モップを洗浄する際、桶体１０内の水が外に飛ばされにくいなどの長所がある。
【符号の説明】
【００１９】
１０：桶体、１１：開口部、１２：収容区、１３：接続孔、１４：取手、１４１：突出柱、１４２：拡張面、２０：バスケット、２１：第１連結座、３０：駆動機構、３１：底座、３１１：支持部、３１２：第１軸孔、３１３：第一固定孔、３１４：第二固定孔、３１５：突出片、３１６：ガイド溝、３２：歯列、３２１：第一歯部、３２２：第二歯部、３２３：復元スプリング、３３：ペダル、３３１：第１シャフト、３３２：ボルト、３３３：拡張面、３３４：弧状溝、３４：弧状歯列、３４１：上方の弧状歯部、３４２：下方の弧状歯部、３５：大傘型歯車、３５１：軸方向の歯車、３５２：第２軸孔、３５３：第２シャフト、３６：小傘型歯車、３７：ロングシャフト、３８：小歯車、３９：ショートシャフト、４０：洗浄盤、４１：第２連結座、４２：リブ部、６０：モップ、６１：毛糸
【図１】
0003157152.tif 000003
【図２】
0003157152.tif 000004
【図３】
0003157152.tif 000005
【図４】
0003157152.tif 000006
【図５】
0003157152.tif 000007
【図６】
0003157152.tif 000008
【図７】
0003157152.tif 000009
【図８】
0003157152.tif 000010
【図９】
0003157152.tif 000011
【図１０】
0003157152.tif 000012